(57)【要約】      （修正有）【課題】境界を効率的に測量できる境界測量用具を提供する。【解決手段】多角形を成すシート状の平面部と、前記平面部の周縁部にあり、測量するために用いる器具を固定するための穴部１０とを有する。好適には、前記平面部は、少なくとも一辺が３０ｍｍ以上５５ｍｍ以下の四角形を形成し、前記平面部に対し、連続して略垂直に曲成された固定部とをさらに有し、前記穴部１０は、前記平面部に貫通するよう形成され、境界物に載置された場合に、少なくとも、境界物に刻印される境界点、又は境界線の近傍上方に設けられる。【選択図】図１
0003179957.tif 000002
【実用新案登録請求の範囲】
【請求項１】
多角形を成すシート状の平面部と、
前記平面部の周縁部にあり、測量するために用いる器具を固定するための穴部と
を有する測量具。
【請求項２】
前記平面部は、少なくとも一辺が３０ｍｍ以上５５ｍｍ以下の四角形を形成し、
前記平面部に対し、連続して略垂直に曲成された固定部と
をさらに有し、
前記穴部は、前記平面部に貫通するよう形成され、境界物に載置された場合に、少なくとも、境界物に刻印される境界点、又は境界線の近傍上方に設けられる
請求項１に記載の測量具。
【考案の詳細な説明】
【技術分野】
【０００１】
本考案は、境界測量用具に関するものである。
【背景技術】
【０００２】
例えば、特許文献１では、コンクリ−ト製境界杭等の境界点、又は、その近傍に、プリザムを設置し易くして測定を補助する道具一式で、境界点測量補助具３種の神器と呼称する。是等があれば、大抵の境界点の正確な測定が、是迄に無く、し易くなった。その為の補助具を考案したので、それら一式の仕様と、その使用法を披露する。一つ目は、杭等の角部と、杭等の縁中央部に境界点があり、更に、この縁に面取のある杭用で、この面取部の真下に、この補助具を当ててＶの谷間を形成し、この谷間に、Ｖ形の二つ目の考案品を載せて、プリザムを設置し易くするもので、是等二つは、境界杭にＬ字状に接触するような形状としてある。三つ目は、杭の縁の面取の有無に拘らず、杭等の上面の平らな部分に、透明のプレイトを当て、このプレイト越しに測点を視認し、適切な箇所にプリザムを設置して測定できるようにしたものである。こうした補助具と測定方法で、是迄に無く、正確に境界点を測定し易くしたことを特長とする、コンクリ−ト製境界杭等の境界点測定補助具一式と、その使用法として開示されている。
【先行技術文献】
【特許文献】
【０００３】
【特許文献１】特開２００８−３０９７６５号公報
【考案の概要】
【考案が解決しようとする課題】
【０００４】
本考案は、境界を効率的に測量できる境界測量用具を提供することを目的とする。
【課題を解決するための手段】
【０００５】
本考案に係る測量具は、多角形を成すシート状の平面部と、前記平面部の周縁部にあり、測量するために用いる器具を固定するための穴部とを有する。
【０００６】
好適には、前記平面部は、少なくとも一辺が３０ｍｍ以上５５ｍｍ以下の四角形を形成し、前記平面部に対し、連続して略垂直に曲成された固定部とをさらに有し、前記穴部は、前記平面部に貫通するよう形成され、境界物に載置された場合に、少なくとも、境界物に刻印される境界点、又は境界線の近傍上方に設けられる。
【考案の効果】
【０００７】
本考案によれば、測量する位置を統一することで測量誤差を軽減できるため境界を効率的に測量できる。
【図面の簡単な説明】
【０００８】
【図１】本実施形態に係る境界測量用具１ａの斜視図である。
【図２】本実施形態に係る境界測量用具１ａの三面図である。
【図３】本実施形態に係る境界測量用具１ｂの斜視図である。
【図４】本実施形態に係る境界測量用具１ｂの三面図である。
【図５】本実施形態に係る境界測量用具１を設置した一例である。
【図６】本実施形態に係る境界測量用具１ａを使用した一例である。
【考案を実施するための形態】
【０００９】
本実施形態の背景と概要を説明する。
境界標とは、土地の境界を示すために人為的に設けられた標識のことである。
境界標には、石杭、コンクリート杭、プラスチック杭、金属杭、金属標（打込）、金属標（埋込）、及び、金属鋲がある。境界標の測量には主に、ポール及びプリズムを使用し、プリズムを備え付けたポールの先端を境界標に固定して測量する。このとき、ポールは、三脚で固定できない場所では作業者の手により固定される。従って、作業者に固定されるポールは、腕の動きにより境界標に対して鉛直方向に安定せず、プリズムを定位置に固定できない、または、ポールの先が境界点を示す位置から外れてしまう虞がある。
そこで、本実施形態の境界測量用具１は、境界標に刻印される境界点に対してポールを安定的に固定でき、ポールの先端を固定する位置のばらつきを軽減することで、より効率的に測量することができる。
【００１０】
以下、本考案の実施形態の構成を、図面を参照して説明する。ただし、本考案の範囲は、図示例に限定されるものではない。
【００１１】
図１から図４に例示すように、境界測量用具１は、境界測量用具１ａと、境界測量用具１ｂとで構成される。
【００１２】
図１は、本実施形態に係る境界測量用具１ａの斜視図である。
図２は、本実施形態に係る境界測量用具１ａの三面図である。
図１及び図２は、本実施形態に係る境界測量用具１ａを例示する図である。
境界測量用具１ａは、本考案に係る測量具の一例である。境界測量用具１ａは、塑性部材で構成され、例えば、金属部材の合金鋼であるステンレス鋼で構成される。境界測量用具１ａは、適度な耐食性、及び硬度を有するならば、合成樹脂部材や別の金属部材を用いてもよく、構成素材を適宜に選択することができる。
境界測量用具１ａは、多角形を成すシート状の塑性部材を曲げて形成される。具体的には、境界測量用具１ａは、厚さ約２ｍｍの長方形を成すプレート状の金属部材を略直角に曲げて形成される。境界測量用具１ａの曲成する位置（支点部１４）は、長方形の形状をしたプレートの長辺を等分できる位置を中心として曲成される。
【００１３】
図１に例示するように、境界測量用具１ａは、形鋼の一つである山形鋼（いわゆるアングル）の等辺山形鋼のような形状のため、図２（ｂ）及び図２（ｃ）の形状は略合同である。境界測量用具１ａは、略合同である平面部のプレート２を有する。プレート２は、一辺の長さを少なくとも３０ｍｍ以上５５ｍｍ以下の長さを有し、本実施例では、約５０ｍｍとする正方形の平面部を有する。ここで、境界測量用具１ａは、プレート２の大きさを適宜に変更することができる。
【００１４】
また、境界測量用具１ａは、楔部４、窓部６、及び突出部８を有する。
楔部４は、プレート２の端面に設けられた楔形の切り取り部分である。具体的には、図２（ｂ）及び図２（ｃ）に例示するように、楔部４は、曲げ形成する以前のプレートで見た時に、短辺方向を等分し貫くように設けた中心線上（不図示）にある任意の点から左右に４５度ずつ、計９０度の角度で端面に向かって放射状に切り取った部分である。本実施形態では、楔部４は、角度を形成する交点を中心線上に配置し、曲げ形成された支点部１４の方向に向かって、端面から約５ｍｍの位置に設けられる。また、端面とは、曲げ形成された支点部１４と対向するプレートの端を示す。また、楔部４は、切り取り角度を適宜に変更してもよい。
【００１５】
窓部６は、プレート２で視界を妨げられないよう設けられた開口部である。窓部６は、境界標に設けられる境界線を確認するための開口部である。窓部６は、曲げ形成された支点部１４近傍に設けられ、楔部４と対向するように形成される。また、窓部６は、楔部４の交点と同様の中心線上にあり、中心線に対して線対称となるように配置される。ここで、窓部６は、境界測量用具１ａの強度の減少、又は、測量の精度に支障のない範囲内において開口部の形状、及び大きさを適宜に選択することができる。
【００１６】
突出部８は、プレート２に施された切欠きにより形成された凸部である。突出部８は、曲げ形成された支点部１４近傍にあり、楔部４及び窓部６と同様の中心線上に線対称となるよう設けられる。突出部８は、窓部６の領域内から、支点部１４を介して中心線に対して平行に切欠きされて形成されるため、窓部６の領域内に突出している構造となる。
また、突出部８は、貫通孔１０を有する。
貫通孔１０は、面取りを施された約直径１．５ｍｍの穴であり、プレート２に貫通している。貫通孔１０は、境界標に刻印される境界点、又は、境界線の近傍上方になるように設置される。具体的には、貫通孔１０は、楔部４の交点と同様の中心線上にあり、曲げ形成された支点部１４から約２ｍｍの位置に配置される穴である。ここで、突出部８及び貫通孔１０は、強度及び測量精度を低下させない範囲において形状、及び大きさを適宜に変更することができる。
【００１７】
また、図１及び図２に例示するように、境界測量用具１ａは、各プレート２の二隅の角をＲ加工され、本実施形態では半径５ｍｍの円で丸く加工される。境界測量用具１ａは、全周バリ取り加工が施される。ここで、バリとは、材料を加工する際に発生する、素材の残材部分である。
【００１８】
図３は、本実施形態に係る境界測量用具１ｂの斜視図である。
図４は、本実施形態に係る境界測量用具１ｂの三面図である。
図３及び図４は、本実施形態に係る境界測量用具１ｂを例示する図である。境界測量用具１ｂは、本考案に係る測量用具の一例である。
境界測量用具１ｂは、塑性部材で構成され、例えば、金属部材の合金鋼であるステンレス鋼で構成される。境界測量用具１ｂは、適度な耐食性、及び硬度を有するならば、合成樹脂部材や別の金属部材を用いてもよく、構成素材を適宜に選択することができる。
【００１９】
境界測量用具１ｂは、脚部１２、貫通孔１０を有する。
境界測量用具１ｂは、多角形を成すシート状の塑性部材を曲げて形成される。図４（ａ）に例示するように、境界測量用具１ｂは、厚さ約２ｍｍの略正方形を成すプレート状の金属部材である。境界測量用具１ｂは、平面部であるプレート２を有する。プレート２は、一辺の長さを少なくとも４８ｍｍ以上５２ｍｍ以下の長さを有し、好ましくは約５０ｍｍとする正方形の平面部を有する。ここで、境界測量用具１ｂは、プレート２の大きさを適宜に変更することができる。また、境界測量用具１ｂは、プレート２から連続して略直角に曲げ形成された脚部１２を有する。
【００２０】
脚部１２は、境界測量用具１ｂの有するプレート２と同じ長さを有する。
脚部１２は、プレート２より連続するように設けられ、支点部１４を支点として略直角になるよう成形される。脚部１２は、プレート２の隣り合う辺に一脚ずつ対向するよう設けられ、対角線（不図示）の近傍に配置される。ここで、脚部１２は、強度及び測量精度を低下させない範囲において、脚の設置位置、形状及び大きさを適宜に変更してもよい。
【００２１】
貫通孔１０は、境界測量用具１ｂと同様に、境界標に刻印される境界点の近傍上方となるように設置される。具体的には、貫通孔１０は、面取りを施された約直径１．５ｍｍの穴であり、プレート２に貫通している。（図４（ａ））貫通孔１０は、脚部１２を設けた隣り合う辺に構成された角に設けられる。ここで、貫通孔１０は、強度及び測量精度を低下させない範囲において、穴の大きさや位置を適宜に変更することができる。
【００２２】
また、図３及び図４に例示するように、境界測量用具１ｂは、プレート２内の貫通孔１０を有する角と対向する角と、脚部１２の支点部１４に対向する端面にある二隅の角とをＲ加工され、本実施形態では半径５ｍｍの円で丸く加工される。境界測量用具１ｂは、全周バリ取り加工が施される。
【００２３】
次に、本考案の実施形態の使用方法を説明する。
図５は、本実施形態に係る境界測量用具１を設置した一例である。
図５に例示するように、図５（ａ）の境界測量用具１ａは、境界標の表示に関わらず汎用することのできる測量具であり、境界標に設置した一例である。また、図５（ｂ）の境界測量用具１ｂは、角に境界点を有する境界標に用いることができ、角の境界を示した境界標に設置した一例である。
【００２４】
図５（ａ）に例示するように、境界測量用具１ａは、突出部８を有する面を境界標の頭部に載置し、窓部６を有する面を境界標の側面に接触させることで設置される。このとき、境界測量用具１ａは、楔部４及び貫通孔１０を基準として境界標の中心に一致するように設置される。境界測量用具１ａは、境界測量用具１ａと、境界標との中心を一致させる場合、窓部６を介して境界標の溝を確認することで、より正確に中心を一致させることができる。
【００２５】
また、図５（ｂ）に例示するように、境界測量用具１ｂは、プレート２にある貫通孔１０と、角を示す境界標の印に合わせるように載置し、脚部１２を境界標に接触させることで設置される。境界測量用具１ｂは、脚部１２を有する向かい合う辺に挟まれた角に貫通孔１０を有するため、主に角を示す境界標に用いられる。
【００２６】
図６は、本実施形態に係る境界測量用具１ａを使用した一例である。
図６に例示するように、境界測量用具１ａは、プリズムを備え付けられたポールを固定し、境界標に設置された一例である。境界測量用具１ａは、作業者によりプリズムを備え付けられたポールを設置するための器具として使用される。具体的には、境界測量用具１ａは、プレート２に設けられた突出部８にある貫通孔１０にポールの先を差し込まれる。境界測量用具１ａは、貫通孔１０にポールを差し込まれることでポールを固定できるため、測量時におけるポールの先端を固定する固定点のばらつきを最小限に抑えることができる。また、境界測量用具１ａは、面取りを施された貫通孔１０を有するため、貫通孔１０の面取り部分に沿ってポールを挿入でき、ポールのテーパ面に密着させることができるので、ポールの固定を速やかに行うことができる。
ここで、境界測量用具１ｂは、境界測量用具１ａと同様の仕様を行うため割愛する。
【００２７】
以上、説明したように、本実施形態の境界測量用具１は、境界を測定するものに適したものである。境界測量用具１は、プリズムを備え付けられたポールを設置するための器具として使用される。境界測量用具１は、境界標の頭部に載置し、プレート２の貫通孔１０にポールを挿入されることで、ポールを固定できる。境界測量用具１は、境界標の形状や測量する作業者によるポールの固定位置を統一化でき、固定位置のばらつきを最小限に抑えることができるため測量誤差を軽減することができる。また、境界測量用具１は、劣化した境界標に用いることで、分かりにくくなっている境界を識別でき境界点を特定することが可能となる。
【００２８】
以上、本考案に係る実施形態について説明したが、これらに限定されるものではなく、考案の趣旨を逸脱しない範囲内において、種々の変更、追加等が可能である。
【００２９】
[変形例]
次に、上記実施形態の変形例を説明する。
本実施形態では、境界標に関する境界の測量について説明したが、これに限定するものではなく、例えば、境界測量用具１は、面取りされる構造物の本来の境界を測量するときにおいても使用できる。
構造物に施される面取り部分を含む測量を行う場合に、本来の境界線の交点を特定するために、数点（少なくとも４地点）を測定し、境界線が交差する交点を算出していた。しかし、境界測量用具１は、必要な測定点を直接的に測量することができるため、境界線の交点を算出することなく、誤差を最小限にし、かつ効率的に測量することができる。
【符号の説明】
【００３０】
１      境界測量用具
２      プレート
４      楔部
６      窓部
８      突出部
１０    貫通孔
１２    脚部
１４    支点部
【図１】
0003179957.tif 000003
【図２】
0003179957.tif 000004
【図３】
0003179957.tif 000005
【図４】
0003179957.tif 000006
【図５】
0003179957.tif 000007
【図６】
0003179957.tif 000008